(57)【要約】【課題】携帯電話機の携帯忘れを直ちに知るようにすると共にマナーモード時の着信を確実に報知するようにすることを目的とする。【解決手段】携帯電話機２を収納する収納体１と、この収納体１の所定部に設けられたこの携帯電話機２がマナーモード時に着信時の振動を検知する振動検知手段１０及び一定間隔で識別信号を付した微弱電波の警報信号を送信する送信手段１４と、この送信手段１４よりのこの警報信号を受信する受信手段２１と、この受信手段２１のこの警報信号の受信に応じて警報を発生する警報発生手段２７と、この警報発生手段２７を人体に装着する装着手段２８とを有し、この警報発生手段２７はこの受信手段２１がこの警報信号を受信できなくなったときに警報を発生すると共にこの振動検知手段１０がこの着信時の振動を検知したときにこの警報信号の送信を停止し、この警報発生手段２７がマナーモード時に着信を報知するようにしたものである。【選択図】図３
2007329890.tif 000002
【特許請求の範囲】
【請求項１】
携帯電話機を収納する収納体と、
該収納体の所定部に設けられた前記携帯電話機がマナーモード時に着信時の振動を検知する振動検知手段及び一定間隔で識別信号を付した微弱電波又は微弱超音波の警報信号を送信する送信手段と、
該送信手段よりの前記警報信号を受信する受信手段と、
該受信手段の前記警報信号の受信に応じて警報を発生する警報発生手段と、
該警報発生手段を人体に装着する装着手段とを有し、
前記警報発生手段は前記受信手段が前記警報信号を受信できなくなったときに警報を発生すると共に前記振動検知手段が前記着信時の振動を検知したときに前記警報信号の送信を停止し、前記警報発生手段がマナーモード時に着信を報知するようにしたことを特徴とする携帯電話機の携帯忘れ警報システム。
【請求項２】
請求項１記載の携帯電話機の携帯忘れ警報システムにおいて、
前記警報発生手段は振動手段であることを特徴とする携帯電話機の携帯忘れ警報システム。
【請求項３】
請求項１記載の携帯電話機の携帯忘れ警報システムにおいて、
前記警報発生手段は発光手段であることを特徴とする携帯電話機の携帯忘れ警報システム。
【請求項４】
請求項２記載の携帯電話機の携帯忘れ警報システムにおいて、
前記装着手段は腕バンドであることを特徴とする携帯電話機の携帯忘れ警報システム。
【請求項５】
請求項２記載の携帯電話機の携帯忘れ警報システムにおいて、
前記装着手段は腰バンドであることを特徴とする携帯電話機の携帯忘れ警報システム。
【請求項６】
請求項２記載の携帯電話機の携帯忘れ警報システムにおいて、
前記装着手段は首ぶら下げひもであることを特徴とする携帯電話機の携帯忘れ警報システム。
【請求項７】
請求項３記載の携帯電話機の携帯忘れ警報システムにおいて、
前記装着手段は眼鏡であることを特徴とする携帯電話機の携帯忘れ警報システム。
【請求項８】
携帯電話機につなげる繋留体と、
該繋留体の所定部に設けられた前記携帯電話機がマナーモード時に着信時の振動を検知する振動検知手段及び一定間隔で識別信号を付した微弱電波又は微弱超音波の警報信号を送信する送信手段と、
該送信手段よりの前記警報信号を受信する受信手段と、
該受信手段の前記警報信号の受信に応じて警報を発生する警報発生手段と、
該警報発生手段を人体に装着する装着手段とを有し、
前記警報発生手段は前記受信手段が前記警報信号を受信できなくなったときに警報を発生すると共に前記振動検知手段が前記着信時の振動を検知したときに前記警報信号の送信を停止し、前記警報発生手段がマナーモード時に着信を報知するようにしたことを特徴とする携帯電話機の携帯忘れ警報システム。
【発明の詳細な説明】
【技術分野】
【０００１】
本発明は携帯電話機の携帯忘れ警報システムに関する。
【背景技術】
【０００２】
一般に、携帯電話機において、着信を報知するために通常の電話機と同様に着信時に呼び出し音を鳴らすことが広く行われているが、最近では、この呼び出し音が周囲の迷惑になることから、着信を振動により報知する所謂マナーモード機能を備えた携帯電話機が広く用いられている。
【０００３】
従来、このマナーモードで使用した場合であっても、携帯電話機本体の着信を確実に認識することができるようにしたものが特許文献１に開示されている。
【０００４】
この特許文献１に開示のものは、呼出受信機の振動部は装着バンドにより携帯電話機保持者の腕に装着されており、この状態で、着信があると携帯電話機本体は、呼出受信機に微弱電波を送信し、呼出受信機がこの信号を受け取ると振動部が振動して直接携帯電話機保持者の腕に振動を伝え、これによって、携帯電話機への着信が携帯電話機保持者に報知されるものである。
【特許文献１】特開２００２−３２５２６８号公報
【発明の開示】
【発明が解決しようとする課題】
【０００５】
然しながら、この携帯電話機保持者が、この携帯電話機の携帯を忘れ（紛失も含む）たときに、この携帯電話機本体と呼出受信機との距離が例えば２ｍ以上と大きくなつたときは、この着信時の携帯電話機本体よりの電波は微弱電波であるので、この微弱電波を呼出受信機は受信することができず、この携帯電話機保持者は、携帯電話機本体に着信があっつても知ることはできない不都合があり、更に、この携帯電話機の携帯忘れを直ちに知ることができない。
【０００６】
本発明は、斯かる点に鑑み、携帯電話機の携帯忘れを直ちに知るようにすると共にマナーモード時の着信を確実に報知するようにすることを目的とする。
【課題を解決するための手段】
【０００７】
本発明携帯電話機の携帯忘れ警報システムは、携帯電話機を収納する収納体と、この収納体の所定部に設けられたこの携帯電話機がマナーモード時に着信時の振動を検知する振動検知手段及び一定間隔で識別信号を付した微弱電波又は微弱超音波の警報信号を送信する送信手段と、この送信手段よりの前記警報信号を受信する受信手段と、この受信手段の前記警報信号の受信に応じて警報を発生する警報発生手段と、この警報発生手段を人体に装着する装着手段とを有し、この警報発生手段は前記受信手段がこの警報信号を受信できなくなったときに警報を発生すると共にこの振動検知手段がこの着信時の振動を検知したときにこの警報信号の送信を停止し、この警報発生手段がマナーモード時に着信を報知するようにしたものである。
【０００８】
本発明携帯電話機の携帯忘れ警報システムは、携帯電話機につながれた繋留体と、この繋留体の所定部に設けられたこの携帯電話機がマナーモード時に着信時の振動を検知する振動検知手段及び一定間隔で識別信号を付した微弱電波又は微弱超音波の警報信号を送信する送信手段と、この送信手段よりの前記警報信号を受信する受信手段と、この受信手段の前記警報信号の受信に応じて警報を発生する警報発生手段と、この警報発生手段を人体に装着する装着手段とを有し、この警報発生手段は前記受信手段がこの警報信号を受信できなくなったときに警報を発生すると共にこの振動検知手段がこの着信時の振動を検知したときにこの警報信号の送信を停止し、この警報発生手段がマナーモード時に着信を報知するようにしたものである。
【発明の効果】
【０００９】
本発明によれば、警報発生手段は、受信手段が警報信号を受信できなくなったときに警報を発生すると共に振動検知手段が着信時にこの警報信号の送信を停止し、この警報発生手段がマナーモード時に着信を報知するようにしたので、携帯電話機の携帯忘れを直ちに知ることができると共にマナーモード時の着信を確実に報知することができる。
【発明を実施するための最良の形態】
【００１０】
以下、図面を参照して本発明携帯電話機の携帯忘れ警報システムを実施するための最良の形態の例につき説明する。
【００１１】
図１において、１は携帯電話機２を収納する如く形成された収納体の例の袋体を示し、１ａはこの袋体１の開口を常時締めるように付勢されている弾性体を示す。
【００１２】
この袋体１は、皮、合成皮、合成樹脂、布地等より形成する。この袋体１の一面に図２に示す如く、ハンドバック、背広のポケット等３に、この袋体１を固定するマジックテープ、ボタン、ファスナー等の固定手段３ａを設ける。図２では、マジックテープを設けた例を示している。
【００１３】
本例においては、この袋体１の他面に図２、図３に示す如く、所定位置に、この袋体１に収納された携帯電話機２がマナーモード時の着信時の振動を検知する後述する振動検知手段１０を設けると共に一定間隔で携帯電話機２の所有者本人を識別する識別信号ＩＤを付した微弱電波の警報信号を送信する送信手段を設けた電気回路部４を設ける。
【００１４】
この携帯電話機２のマナーモード時の着信時における振動を検出する振動検知手段１０としては、例えばマイクロホン等一般に周知のものを使用する。
【００１５】
この袋体１の他面に設けた電気回路部４は、例えば図３に示す如く構成する。この図３につき説明するに、図３において、１１は、図４Ａに示す如く、一定間隔Ｔ０例えば１秒間隔で、１個のパルス信号の警報信号を発振するインターバル発振回路を示し、このインターバル発振回路１１よりの警報信号を制御部１２に供給する。
【００１６】
また、図３において、１３は携帯電話機２の所有者本人を識別する所望の識別信号ＩＤを予めプリセットしておく、ＩＤプリセット部を示し、このＩＤプリセット部１３にプリセットされた識別信号ＩＤを制御部１２に供給する。
【００１７】
この制御部１２においては、この一定間隔Ｔ０例えば１秒間隔のパルス信号である警報信号にこの識別信号ＩＤを付して、送信手段を構成する送信回路１４に供給する。この送信回路１４は、この識別信号ＩＤを付した警報信号を微弱電波で送信する如くする。この場合この送信回路１４は、この識別信号ＩＤを付した警報信号を変調するようにしても良い。
【００１８】
この微弱電波とは、例えば２ｍの範囲以内で通信が可能な電波であり、所定の範囲例えば２ｍの範囲以外では、通信が不可能な電波である。
【００１９】
図５において、２０は図６に示す如き、警報信号受信装置を示し、この警報信号受信装置２０は、送信手段を構成する送信回路１４よりの警報信号を受信する受信手段と、この受信手段のこの警報信号の受信に応じて警報を発生する警報発生手段と、この警報発生手段を人体に装着する装着手段２８とを有している。
【００２０】
図６を参照して、この警報信号受信装置２０につき説明するに、図６において、２１は、受信手段を構成する受信回路を示し、この受信回路２１は、送信手段を構成する送信回路１４が、所定の範囲例えば２ｍの範囲以内にあるときに、この送信手段を構成する送信回路１４よりの微弱電波の識別信号ＩＤを付した警報信号を受信する如く構成する。
【００２１】
この受信回路２１で受信した識別信号ＩＤを付した警報信号を検波部２２に供給する。この検波部２２は、インターバル受信期間形成回路２３よりのインターバル受信期間に警報信号が存在するかどうかを検波する。
【００２２】
このインターバル受信期間形成回路２３は、図４Ｂに示す如く、警報信号のパルス信号から、この警報信号の間隔Ｔ０よりやや小さい時間Ｔ１より、この間隔Ｔ０よりやや大きい時間の間のＴ２期間例えば、この警報信号の間隔Ｔ０が例えば１秒のときは、この警報信号の発生より１±０．１秒間毎にこの検波部２２が検波できる如くする。
【００２３】
本例においては、検波部２２で警報信号を検波したときは、この警報信号の検波のタイミングをインターバル受信期間形成回路２３に通知し、このインターバル受信期間形成回路２３は、次の警報信号の検波期間を、この検波された警報信号の後のＴ１時間後のＴ２期間とする。
【００２４】
この警報信号の検出を前の警報信号の検知よりのＴ１時間後のＴ２期間毎の所定の期間毎としたときは、それだけ電力損失を少なくすることができる。
【００２５】
また、図６において、２４は、携帯電話機２の所有者本人を識別する所望の識別信号ＩＤを予めプリセットしておく、ＩＤプリセット部を示し、このＩＤプリセット部２４には、送信側のＩＤプリセット部１３にプリセットした識別信号ＩＤと同じ、識別信号ＩＤをプリセットする如くする。
【００２６】
このＩＤプリセット部２４にプリセットされた識別信号ＩＤを検波部２２に供給し、この検波部２２においては、この識別信号ＩＤが同じ警報信号のみを検波する如くする。
【００２７】
このように、識別信号ＩＤの同じ警報信号のみを検波するようにしたときには、この携帯電話機の携帯忘れ警報システムの他人の警報信号による誤動作を防止することができる。
【００２８】
この検波部２２で検波した警報信号を制御部２５に供給する。この制御部２５は、警報信号の間隔Ｔ０よりも大きい所定期間例えば安全をみて、この間隔Ｔ０の３倍の３Ｔ０期間に警報信号が供給されないときは、駆動回路２６を作動し、警報発生手段であるバイブレータ２７を動作する如くする。
【００２９】
本例においては、図５に示す如く、この警報発生手段であるバイブレータ２７を含む警報信号受信装置２０を携帯電話機２の所有者の腕に装着するための装着手段を構成するバンド２８により装着する如くする。
【００３０】
図６において、２９は警報発生手段であるバイブレータ２７の警報である振動を停止させるためのリセットボタンである。
【００３１】
本例は上述の如く構成されているので、携帯電話機２をマナーモードとし、所有者が収納体である袋体１に収納し、携帯（ハンドバック、背広のポケット等３に携帯）しているときは、この袋体１と携帯電話機２の所有者の腕にバンド２８で装着した受信手段を含む警報信号受信装置２０とは所定の範囲例えば２ｍの範囲以内に有るので、受信手段を構成する受信回路２１は、この袋体１の送信手段を構成する送信回路１４よりの警報信号を受信でき、この警報信号の受信により、警報発生手段であるバイブレータ２７は作動しない。これにより携帯電話機２の所有者は、携帯電話機２を携帯忘れしていないこと及び着信が無いことを知ることができる。
【００３２】
携帯電話機２の所有者が袋体１に収納した携帯電話機２を置き忘れ又は紛失したとき等の携帯忘れのときは、この袋体１と携帯電話機２の所有者の腕にバンド２８で装着した受信手段を含む警報信号受信装置２０とは所定の範囲例えば２ｍの範囲以外となり、受信手段を構成する受信回路２１は、この袋体１の送信手段を構成する送信回路１４よりの警報信号を受信できなくなり、この制御部２５は、警報信号の間隔Ｔ０よりも大きい所定期間例えば３Ｔ０期間に警報信号が得られないので、駆動回路２６を作動し、警報発生手段であるバイブレータ２７が動作し、腕に振動を与えるので、この携帯電話機２の所有者が携帯電話機２の置き忘れ又は紛失等の携帯忘れを直ちに知ることができる。
【００３３】
また、本例によれば、携帯電話機２をマナーモードとし、所有者が収納体である袋体１に収納し、携帯（ハンドバック、背広のポケット等３に携帯）しているとき、この携帯電話機２に着信があり、この携帯電話機２のバイブレータが振動し、この振動を振動検知手段１０が検知して、制御部１２に検知信号を供給して制御部１２よりの警報信号を発生しないようにするので、送信回路１４は、図４Ｃに示す如く、警報信号の送信を停止し、警報信号受信装置２０の受信手段を構成する受信回路２１は警報信号を受信せず、この制御部２５は、警報信号の間隔Ｔ０よりも大きい所定期間例えば３Ｔ０期間に警報信号が得られないので、駆動回路２６を作動し、警報発生手段であるバイブレータ２７が動作し、腕に振動を与えるので、この携帯電話機２の所有者が携帯電話機２の携帯を確認し、この携帯電話機２に着信があったことを確実に知ることができる。
【００３４】
以上述べた如く、本例によれば、警報発生手段２７は、受信手段２１が警報信号を受信できなくなったときに警報を発生すると共に振動検知手段１０が着信時にこの警報信号の送信を停止し、この警報発生手段２７がマナーモード時に着信を報知するようにしたので、携帯電話機２の携帯忘れを直ちに知ることができると共にマナーモード時の着信を確実に報知することができる。
【００３５】
尚、上述例では、警報発生手段を構成するバイブレータ２７を腕に装着するバンド２８により携帯電話機２の所有者の腕に装着する如く述べたが、この装着手段として、図７に示す如くペンダント形式とし、この警報発生手段を構成するバイブレータ２７を携帯電話機２の所有者の首にひも等でぶら下げるようにしても良い。
【００３６】
また、図８に示す如く、警報発生手段を構成するバイブレータ２７を腰に装着するバンド２８により携帯電話機２の所有者の腰に装着するようにしても良い。
【００３７】
また、上述例では、警報発生手段としてバイブレータ２７を用いた例につき述べたが、この警報発生手段として、図９に示す如く、発光ダイオード等であっても良い。この図９例は、眼鏡のつるのコーナー部に警報発生手段を構成する発光ダイオード３０を設け、この発光ダイオード３０を携帯電話機２の携帯忘れ時及びマナーモード時の着信時に発光するようにしたものである。
【００３８】
更に、上述例においては、携帯電話機２の収納体として、袋体１を用いた例につき述べたが、この収納体としては、ケース等その他のものでも良いことは勿論である。
【００３９】
また、上述例においては、携帯電話機２の収納体１に携帯電話機２がマナーモード時の着信時の振動を検知する振動検知手段１０を設けると共に一定間隔で携帯電話機２の所有者本人を識別する識別信号ＩＤを付した微弱電波の警報信号を送信する送信手段を設けた電気回路部４を設けた例つき述べたが、この代わりに図１０に示すように、この携帯電話機２にストラップ６によりつながれた繋留体５にこの携帯電話機２がマナーモード時の着信時の振動を検知する振動検知手段１０を設けると共に一定間隔で携帯電話機２の所有者本人を識別する識別信号ＩＤを付した微弱電波の警報信号を送信する送信手段を設けた電気回路部４を設けるようにしても良い。
【００４０】
この図１０例は、繋留体５としてこの電気回路部４そのものを筐体に収納したものである。この繋留体５としては、携帯電話機２の所有者本人の連絡先を記入する例えばネームプレイト等であっても良い。
【００４１】
また、上述例においては、警報信号として所有者本人を識別する識別信号ＩＤを付した微弱電波を用いた例につき述べたが、この代わりに所有者本人を識別する識別信号ＩＤを付した微弱超音波を用いても良い。この場合、電気回路部４として図１１に示すような構成を用い、警報信号受信装置２０として図１２に示すような構成を用いる。
【００４２】
この図１１及び図１２につき説明するに、図３及び図６に対応する部分には、同一符号を付し、その説明を省略する。図１１例においては、図３例において、制御部１２の出力信号を超音波出力回路１５に供給し、スピーカ１６より例えば４０ＫＨｚの例えば２ｍ範囲以内の通信が可能な微弱超音波を出力するようにしたものである。
【００４３】
また、図１２例においては、図６例において、超音波信号を受信するマイクロホン４０よりの超音波信号を超音波受信回路４１を介して検波部２２に供給するようにし、その他は、図６同様に構成したものである。この図１１及び図１２においても、図３及び図６と同様の作用効果が得られることは、容易に理解できよう。
【００４４】
また、本発明は上述例に限ることなく、本発明の要旨を逸脱することなく、その他種々の構成が採り得ることは勿論である。
【図面の簡単な説明】
【００４５】
【図１】本発明携帯電話機の携帯忘れ警報システムを実施するための最良の形態の例の要部の概要を示す断面図である。
【図２】図１の側断面図である。
【図３】電気回路部の例を示す構成図である。
【図４】本発明の説明に供する線図である。
【図５】警報信号受信装置の装着の例を示す図である。
【図６】警報信号受信装置の例を示す構成図である。
【図７】警報信号受信装置の装着の他の例を示す図である。
【図８】警報信号受信装置の装着の他の例を示す図である。
【図９】本発明を実施するための最良の形態の他の例の要部の概要を示す斜視図である。
【図１０】本発明携帯電話機の携帯忘れ警報システムを実施するための最良の形態の他の例の要部の概要を示す斜視図である。
【図１１】電気回路部の他の例を示す構成図である。
【図１２】警報信号受信装置の他の例を示す構成図である。
【符号の説明】
【００４６】
１…袋体、２…携帯電話機、４…電気回路部、５…繋留体、１０…振動検知手段、１１…インターバル発振回路、１２、２５…制御部、１３、２４…ＩＤプリセット部、１４…送信回路、１５…超音波出力回路、１６…スピーカ、２０…警報信号受信装置、２１…受信回路、２２…検波部、２３…インターバル受信期間形成回路、２６…駆動回路、２７…バイブレータ、２８…バンド、２９…リセットボタン、３０…発光ダイオード、４０…マイクロホン、４１…超音波受信回路
【図１】
2007329890.tif 000003
【図２】
2007329890.tif 000004
【図３】
2007329890.tif 000005
【図４】
2007329890.tif 000006
【図５】
2007329890.tif 000007
【図６】
2007329890.tif 000008
【図７】
2007329890.tif 000009
【図８】
2007329890.tif 000010
【図９】
2007329890.tif 000011
【図１０】
2007329890.tif 000012
【図１１】
2007329890.tif 000013
【図１２】
2007329890.tif 000014